(57)【特許請求の範囲】
【請求項１】
筐体に、ＣＰＵと、該ＣＰＵの動作により生ずる熱を該筐体外部に排出する放熱ファンと、表示画面とを有する情報処理装置であって、
前記筐体に内蔵され、前記表示画面の上辺に設置されたマイクを有し、
該マイクと、前記放熱ファンが前記熱を前記筐体上方に排出するよう筐体に形成された吹出口との間に仕切り部材を有し、
前記仕切り部材は、前記マイクを覆うように配置されている、
ことを特徴とする情報処理装置。
【請求項２】
前記仕切り部材は中空部と穴が形成された収納部を有し、
前記マイクは、前記収納部の中空部に前記穴に対向して設置されることを特徴とする請求項１記載の情報処理装置。
【請求項３】
前方向を撮影するカメラを有し、
該カメラは、前記仕切り部材に前記マイクと並んで設置されることを特徴とする請求項２記載の情報処理装置。
【請求項４】
前記仕切り部材は、樹脂で形成されていることを特徴とする請求項１から３のいずれか１項に記載の情報処理装置。
【発明の詳細な説明】
【技術分野】
【０００１】
本発明は、本体と表示画面が一体になった情報処理装置に関する。
【背景技術】
【０００２】
近年、本体と表示画面が一体になったパーソナルコンピュータ（ＰＣ）が知られている。ＰＣの前で操作するユーザがネットワークで接続された他のＰＣのユーザとテレビ電話で通信できるようにユーザの音声を入力するマイクとユーザを撮影するカメラは、通常ＰＣの表示画面外枠の上部に設置される。
【０００３】
また、ＰＣの内部にはＣＰＵやＨＤＤ等の電子部品が多数搭載され、熱が発生した電子部品を冷却するため放熱ファンが設置されている。ＣＰＵとＨＤＤの放熱効率を上げるため、放熱ファンの吹出口は、本体背面上方に熱を排出するよう、マイクとカメラの真裏に設けられている。
【０００４】
特許文献１には、ＣＰＵを搭載するマザーボード、ドライブ、マザーボードと記憶ドライブに電力を供給する電源ユニットを有する情報処理装置が開示されている。
情報処理装置は、筺体の前方部の側面に設けられた吸気口と、情報処理装置の筺体の後方部の側面に設けられた排気口と、吸気口より後ろに位置するとともにマザーボードの前面に配置されて情報処理装置の前部から後部に通風する冷却風を発生する他、複数の放熱ファンと、放熱ファンの冷却風によりＣＰＵに接続してＣＰＵを冷却する放熱フィンとを備える。情報処理装置は、吸気口から吸気した外気をマザーボードに沿って通風し、排気口から排気する。
【先行技術文献】
【特許文献】
【０００５】
【特許文献１】特許第４７２１８２２号公報
【発明の概要】
【発明が解決しようとする課題】
【０００６】
しかし、従来技術では、放熱ファンの近くにマイクが設置されているので、マイクに風切音が入ってしまい、雑音になってしまうという問題があった。
【０００７】
また、特許文献１に開示されている技術では、ＰＣ本体と表示画面が一体ではなく、ＰＣ本体に放熱ファン、モニタにマイクが搭載されているので、マイク近傍に放熱ファンが設置され、風切音が入ってしまうという問題は解決できていない。
【０００８】
本発明は、前記課題を解決するためのものであり、その目的とするところは、マイクと放熱用ファンの吹出口との間に仕切り部材を設けたことにより、マイクに風切音が入ることを防止できる情報処理装置を提供することにある。
【課題を解決するための手段】
【０００９】
かかる目的を達成するために、本発明は、以下の特徴を有する。
【００１０】
本発明に係る情報処理装置は、筐体に、ＣＰＵと、該ＣＰＵの動作により生ずる熱を該筐体外部に排出する放熱ファンと、表示画面とを有する情報処理装置であって、前記筐体に内蔵され、前記表示画面の上辺に設置されたマイクを有し、該マイクと、前記放熱ファンが前記熱を前記筐体上方に排出するよう筐体に形成された吹出口との間に仕切り部材を有し、前記仕切り部材は、前記マイクを覆うように配置されている、
ことを特徴とする。
【発明の効果】
【００１１】
本発明によれば、マイクと放熱用ファンの吹出口との間に仕切り部材を設けたことにより、マイクに風切音が入ることを防止できる。
【図面の簡単な説明】
【００１２】
【図１】本実施形態に係る情報処理装置を示す正面図である。
【図２】本実施形態に係る情報処理装置の本体を示す斜視図である。
【図３】本実施形態に係る情報処理装置の本体内部の構成を示す概略図である。
【図４】本実施形態に係る放熱ファンと仕切り部材を示す概略図である。
【図５】本実施形態に係るカバーの金属板に固定された部材を示す部分概略図である。
【発明を実施するための形態】
【００１３】
以下、本実施形態について図面により詳細に説明する。
【００１４】
図１は、本実施形態に係る情報処理装置１を示す正面図である。図２は、本実施形態に係る情報処理装置１の本体２を示す斜視図である。情報処理装置１は、本体２と表示画面３が一体になっている。情報処理装置１の表面に表示画面３が設置され、表示画面３の下部に脚部４が設置されている。
【００１５】
表示画面３の外枠５の上部には、マイク６とカメラ７とが設置されている。マイク６はＰＣの前で操作するユーザがネットワークで接続された他のＰＣのユーザとテレビ電話で通信できるようにユーザの音声を入力し、カメラ７は前方のユーザ等を撮影することができる。
【００１６】
情報処理装置１の裏面には、本体２を支えるための支持部８が設置されている。支持部８はヒンジ９により、本体２に接続されているので、支持部８を開閉させることにより、本体２の傾きの角度を変更することができる。
【００１７】
情報処理装置１は、裏面に樹脂製のカバー１０が取り付けられ、カバー１０は取り外すことができる。カバー１０の上部には、放熱ファンからの送風を外部に排出できる吹出口１１が形成され、吹出口１１には細長い形状の溝が複数並んでいる。
【００１８】
図３は、本実施形態に係る情報処理装置１の本体２内部の構成を示す概略図である。表示画面３の裏側は金属板２１で覆われている。放熱ファン２２は、金属板２１の中央の上部に設置されている。放熱ファン２２の右隣りには、基板２３が設置され、基板２３上にＣＰＵ２４やメモリ２５等の電子部品が多数設置されている。
【００１９】
放熱ファン２２の下方向には、ＨＤＤ２６が設置されている。放熱ファン２２の左隣りには、ＣＤ・ＤＶＤドライブ２７が搭載されている。他にも電子部品が多数設置されているが、図示と説明を省略する。
【００２０】
図４は、本実施形態に係る放熱ファン２２と仕切り部材２８を示す概略図である。放熱ファン２２には、ヒートシンク２９の一端が固定され、基板２３上のＣＰＵ２４の上部にはヒートシンク２９の他端が固定される。ＣＰＵ２４の動作により生ずる熱は、放熱ファン２２で冷却される。
【００２１】
放熱ファン２２は羽根部３０を有し、放熱ファン２２の一端には、金属製の送風口３１とヒートシンク２９とが固定されている。送風口３１は複数の仕切り板３２を有し、羽根部３０からの送風でヒートシンク２９を冷却した後、送風は送風口３１から外部に排出される。
【００２２】
送風口３１の金属板２１側の平面には仕切り部材２８が設置され、仕切り部材２８の内部にマイク６とカメラ７とが設置されている。仕切り部材２８は設置部３３と収納部３４とを有し、長手方向に延在している。設置部３３の一面に送風口３１の平面が固定され、両端はネジ３５で金属板２１に固定されている。設置部３３の一端に収納部３４が形成されている。
【００２３】
収納部３４はＬ字状の段差を有し、段差の先端は中空部３６が形成され、マイク６とカメラ７とが収納される。収納部３４は金属板２１上部の一端に形成された凹部３７に嵌め込まれる。凹部３７の底面３８は、裏面が表示画面３の外枠５である。
【００２４】
凹部３７の底面３８と収納部３４の外側の面３９が接し、凹部３７の内側の側面４０と収納部３４の設置部３３側の面４１が接する。仕切り部材２８は樹脂で成形され、変形させることができるので、金属板２１の凹部３７に容易に嵌め込むことができ、収納部３４の中空部３６にマイク６とカメラ７とを設置することができる。
【００２５】
収納部３４の外側の面３９には複数の穴が形成され、穴に対応する位置にマイク６とカメラ７とが設置されている。収納部３４と表示画面３の外枠５との間には、透明な樹脂製の板が挟まっているので、マイク６は音を入力でき、カメラ７は前方のユーザ等を撮影することができる。
【００２６】
図５は、本実施形態に係るカバー１０の金属板５１に固定された部材５２を示す部分概略図である。カバー１０は、外側全体が樹脂で成形され、内側は金属板５１で覆われている。カバー１０の外側の上部には、送風が通過する吹出口１１が形成されている。カバー１０の内側の上部には、金属製の部材５２が金属板５１に固定され、部材５２には吹出口１１の溝に対向する複数の穴５３が形成されている。
【００２７】
放熱ファン２２の送風口３１から送られた風は、カバー１０の上部の吹出口１１から外部に放出される。送風は部材５２の穴５３と吹出口１１の溝を通過する時、風切音が発生してしまう。しかし、マイク６は仕切り部材２８で覆われているので、送風による風切音が入力されるのを防ぐことができる。
【００２８】
本実施形態によれば、マイクと放熱用ファンの吹出口との間に仕切り部材を設けたことにより、マイクに風切音が入ることを防止できる。
【００２９】
また、上述した実施の形態は、本発明の好適な実施の形態の一例を示すものであり、本発明はそれに限定されることなく、その要旨を逸脱しない範囲内において、種々変形実施が可能である。
【符号の説明】
【００３０】
１    情報処理装置
２    本体
３    表示画面
５    外枠
６    マイク
７    カメラ
１０    カバー
１１    吹出口
２１    金属板
２２    放熱ファン
２３    基板
２４    ＣＰＵ
２８    仕切り部材
２９    ヒートシンク
３０    羽根部
３１    送風口
３２    仕切り板
３３    設置部
３４    収納部
３６    中空部
３７    凹部
５２    金属製の部材
５３    穴
【図１】
0005936631.tif 000002
【図２】
0005936631.tif 000003
【図３】
0005936631.tif 000004
【図４】
0005936631.tif 000005
【図５】
0005936631.tif 000006